(57)【要約】【課題】複数チャンネルごとに出力電圧を生成して出力するものでありながら、各チャンネルでの所望の出力電圧の生成に必要な処理を、極力抑えることが可能となる電力供給回路を提供する。【解決手段】所望の出力電圧を生成する電圧生成回路をＮチャンネル分備え、各チャンネルの前記電圧生成回路によって生成された前記出力電圧を負荷へ出力するものであり、１からＮ−１ｃｈまでの各チャンネルの前記電圧生成回路には、第１コイルが備えられており、２からＮｃｈまでの各チャンネル（Ｋｃｈとする）の前記電圧生成回路は、Ｋ−１ｃｈの第１コイルを１次側とし、自身が２次側としてトランスを形成することにより、Ｋ−１ｃｈの第１コイルの電圧によって定まる電圧を発生させる第２コイルが備えられており、第２コイルに発生した電圧を用いて、前記出力電圧を生成する電力供給回路とする。【選択図】図２
2011114924.tif 000002
【特許請求の範囲】
【請求項１】
所望の出力電圧を生成する電圧生成回路を、１からＮ（Ｎは２以上とする）ｃｈのＮチャンネル分備え、
各チャンネルの前記電圧生成回路によって生成された前記出力電圧を、そのチャンネルに接続されている負荷へ出力する、電力供給回路であって、
１からＮ−１ｃｈまでの各チャンネルの前記電圧生成回路には、第１コイルが備えられており、
２からＮｃｈまでの各チャンネル（Ｋｃｈとする）の前記電圧生成回路は、
Ｋ−１ｃｈの第１コイルを１次側とし、自身が２次側としてトランスを形成することにより、Ｋ−１ｃｈの第１コイルの電圧によって定まる電圧を発生させる第２コイルが備えられており、
第２コイルに発生した電圧を用いて、前記出力電圧を生成することを特徴とする電力供給回路。
【請求項２】
１ｃｈの前記電圧生成回路は、
スイッチングレギュレータの動作によって、前記出力電圧を生成するものであり、
１ｃｈの第１コイルにおける電圧状態は、
１ｃｈの前記出力電圧に応じたものであることを特徴とする請求項１に記載の電力供給回路。
【請求項３】
Ｋｃｈの第１コイルにおける電圧状態は、
Ｋｃｈの第２コイルにおける電圧状態に応じたものであることを特徴とする請求項２に記載の電力供給回路。
【請求項４】
３チャンネル分以上の前記電圧生成回路を備え、
１ｃｈの前記電圧生成回路は、
電源電圧が入力される電源端子と１ｃｈの前記出力電圧を出力する出力端子とを、１ｃｈの第１コイルを介在させて接続するように形成した回路であり、
Ｋｃｈ（但し、Ｋ＝Ｎの場合を除く）の前記電圧生成回路は、
前記電源端子とＫｃｈの前記出力電圧を出力する出力端子とを、Ｋｃｈの第１コイルと第２コイルを介在させて接続するように形成した回路であり、
Ｎｃｈの前記電圧生成回路は、
前記電源端子とＮｃｈの前記出力電圧を出力する出力端子とを、Ｎｃｈの第２コイルを介在させて接続するように形成した回路であることを特徴とする請求項３に記載の電力供給回路。
【請求項５】
前記負荷は、ＬＥＤであることを特徴とする請求項１から請求項４の何れかに記載の電力供給回路。
【請求項６】
ＬＥＤを複数個有し、該ＬＥＤを光源とするバックライトと、
前記負荷としての該ＬＥＤに、前記出力電圧を出力する請求項１から請求項４の何れかに記載の電力供給回路と、
を備えたことを特徴とするバックライトシステム。
【請求項７】
請求項６に記載のバックライトシステムを備えたことを特徴とする映像表示装置。
【発明の詳細な説明】
【技術分野】
【０００１】
本発明は、電気的負荷（例えばＬＥＤ）に電力を供給する電力供給回路、バックライト、および映像表示装置に関する。
【背景技術】
【０００２】
従来、ＬＥＤ等の電気的負荷（以下、「負荷」とする）に電力を供給する電力供給回路が、種々の用途に用いられている。電力供給回路の一例としては、テレビ受像機のバックライトに使われる各ＬＥＤに電力を供給し、当該バックライトを駆動させるバックライト駆動回路が挙げられる。以下、このようなバックライト駆動回路の一例について、簡潔に説明する。
【０００３】
図５は、当該バックライト駆動回路１０２における、外部回路との接続状態を表している。本図に示すように、バックライト駆動回路１０２は、外部回路との接続に使われる端子として、電源端子１０２ａおよび出力端子１０２ｂを備えている。なお出力端子１０２ｂは、正極と負極の各端子からなり、１ｃｈからＮｃｈまでのＮチャンネル分が設けられている。
【０００４】
そして電源端子１０２ａには、電源１０１が接続される。また各チャンネルの出力端子１０２ｂには、バックライト１０３に設けられたＬＥＤ１０３ａが接続される。より具体的には、出力端子１０２ｂの正極には、複数個のＬＥＤ１０３ａが直列に接続されて形成されたＬＥＤ回路１０３ｂの一端が、出力端子１０２ｂの負極には、ＬＥＤ回路１０３ｂの他端が、それぞれ接続される。
【０００５】
バックライト駆動回路１０２は、このような態様で用いられるものであり、電源１０１から供給された電力を調整し、ＬＥＤ１０３ａの各々に電力を供給する。これによりバックライト駆動回路１０２は、各ＬＥＤ１０３ａを発光させ、バックライト１０３を駆動させることが可能となっている。
【０００６】
次に、バックライト駆動回路１０２の構成について説明する。図６は、バックライト駆動回路１０２の構成図である。本図に示すようにバックライト駆動回路１０２では、同等の構成の回路（破線で囲まれた部分）が、１からＮｃｈまでのＮチャンネル分だけ備えられている。各チャンネルの回路構成としては、電源端子１０２ａが、昇圧用のコイル１１１および整流用のダイオード１１２を順に介して、出力端子１０２ｂの正極に接続されている構成となっている。
【０００７】
また電源端子１０２ａとコイル１１１の間は、入力コンデンサ１１３を介して接地されている。またコイル１１１とダイオード１１２の間は、ＦＥＴ１１４（昇圧用のスイッチング素子）を介して接地されている。またダイオード１１２と出力端子１０２ｂの間は、出力コンデンサ１１６を介して接地されている。またダイオード１１２と出力コンデンサ１１６の間は、抵抗Ｒａと抵抗Ｒｂを介して接地されている。また出力端子１０２ｂの負極は、ＦＥＴ１１７（ＤＩＭ用のスイッチング素子）と電流検知用の抵抗Ｒｃを介して接地されている。
【０００８】
そして各チャンネルには、例えばＩＣチップで形成されたコントローラ１１５が設けられている。コントローラ１１５は、抵抗Ｒａと抵抗Ｒｂの間の電圧を信号Ｓｖ（出力電圧の状態が反映されている）として受取り、ＦＥＴ１１７と抵抗Ｒｃの間の電圧を信号Ｓｉ（出力電流の状態が反映されている）として受取る。またコントローラ１１５は、ＦＥＴ１１４のゲートに信号Ｓａ（ＦＥＴ１１４のＯＮ／ＯＦＦを制御する信号）を送り、ＦＥＴ１１７のゲートに信号Ｓｂ（ＦＥＴ１１７のＯＮ／ＯＦＦを制御する信号）を送る。
【０００９】
上述した構成の各チャンネルの回路は、スイッチングレギュレータに相当する機能を有しており、電源端子１０２ａに入力された電圧を調整して出力する。出力すべき電圧や電流の情報は、各チャンネルのコントローラ１１５に予め設定されているか、外部から入力されるようになっている。そしてコントローラ１１５は、信号Ｓｖを監視し、この信号Ｓｖが所定値となるように信号Ｓａを送出する。またコントローラ１１５は、信号Ｓｉを監視し、この信号Ｓｉが所定値となるように信号Ｓｂを出力する。
【００１０】
このようにしてバックライト駆動回路１０２は、電源端子１０２ａに入力された電力を用いて、出力すべき電圧をチャンネルごとに別個に生成し、そのチャンネルの出力端子１０２ｂに接続されている負荷（各ＬＥＤ１０３）へ出力する。なお出力すべき電圧の標準的な値は、（接続されるＬＥＤ１０３の個数）×（ＬＥＤ１０３の順方向電圧）＋（ＦＥＴ１１７のドレイン−ソース間の電圧）＋（抵抗Ｒｃに所定電流を流したときに生じる電圧）に設定される。
【００１１】
接続されるＬＥＤ１０３の個数などは、チャンネルごとに異なることもあり、出力すべき電圧は、チャンネルによって異なることもある。しかしバックライト駆動回路１０２によれば、所望の出力電圧をチャンネルごとに生成可能であるため、このような状況にも対処できる。
【先行技術文献】
【特許文献】
【００１２】
【特許文献１】特開２００４−３３５４４３号公報
【特許文献２】特開２００７−２６５７５４号公報
【特許文献３】特開２００６−０２４５１２号公報
【発明の概要】
【発明が解決しようとする課題】
【００１３】
上述したバックライト１０３においては、多くのＬＥＤ１０３ｂが必要となる。例えばエッジ型のバックライト（導光板を利用するもの）とする場合は、通常、５０個から２４０個程度、直下型のバックライトとする場合は、２００個から３０００個程度が必要となる。このような事情から、バックライト駆動回路１０２においても、多くのチャンネルを設けておくのが望ましい。
【００１４】
このような事情もあり、テレビ受像機のコスト削減や構成の簡素化等の要請から、各チャンネルの回路構成はできるだけ簡素化されることが強く望まれる。各チャンネルの回路構成の簡素化にあたっては、コントローラ１１５が各チャンネルに設けられるのではなく、その設置数が極力少なく（できれば１個に）なっていることが望まれる。
【００１５】
しかし現状における各チャンネルの回路構成では、所望の出力電圧を生成するために、コントローラ１１５が、信号Ｓｖの監視や信号Ｓａの送出などの各処理を行う必要がある。そのため、各チャンネルのコントローラを、例えば１個のコントローラ装置に纏めようとすれば、非常に処理能力の高いコントローラ装置が要求され、製造コスト等の面で望ましいとは言えない。なおこのような事情は、バックライト駆動回路１０２に限ったものではなく、複数チャンネルごとに出力電圧を生成して出力する電力供給回路にも当てはまる。
【００１６】
本発明は、上述した問題点に鑑み、複数チャンネルごとに出力電圧を生成して出力するものでありながら、各チャンネルでの所望の出力電圧の生成に必要な処理を、極力抑えることが可能となる電力供給回路の提供を目的とする。
【課題を解決するための手段】
【００１７】
上記目的を達成するため、本発明に係る電力供給回路は、所望の出力電圧を生成する電圧生成回路を、１からＮ（Ｎは２以上とする）ｃｈのＮチャンネル分備え、各チャンネルの前記電圧生成回路によって生成された前記出力電圧を、そのチャンネルに接続されている負荷へ出力する、電力供給回路であって、１からＮ−１ｃｈまでの各チャンネルの前記電圧生成回路には、第１コイルが備えられており、２からＮｃｈまでの各チャンネル（Ｋｃｈとする）の前記電圧生成回路は、Ｋ−１ｃｈの第１コイルを１次側とし、自身が２次側としてトランスを形成することにより、Ｋ−１ｃｈの第１コイルの電圧によって定まる電圧を発生させる第２コイルが備えられており、第２コイルに発生した電圧を用いて、前記出力電圧を生成する構成とする。
【００１８】
本構成によれば、各トランスの特性（１次側と２次側の電圧比）を調整しておくだけで、２ｃｈ以降の出力電圧を所望の状態とすることが可能となる。そのため、各チャンネルでの所望の出力電圧の生成に必要な処理を、極力抑えることが可能となる。
【００１９】
また上記構成としてより具体的には、１ｃｈの前記電圧生成回路は、スイッチングレギュレータの動作によって、前記出力電圧を生成するものであり、１ｃｈの第１コイルにおける電圧状態は、１ｃｈの前記出力電圧に応じたものである構成としてもよい。またＫｃｈの第１コイルにおける電圧状態は、Ｋｃｈの第２コイルにおける電圧状態に応じたものである構成としてもよい。
【００２０】
また上記構成としてより具体的には、３チャンネル分以上の前記電圧生成回路を備え、１ｃｈの前記電圧生成回路は、電源電圧が入力される電源端子と１ｃｈの前記出力電圧を出力する出力端子とを、１ｃｈの第１コイルを介在させて接続するように形成した回路であり、Ｋｃｈ（但し、Ｋ＝Ｎの場合を除く）の前記電圧生成回路は、前記電源端子とＫｃｈの前記出力電圧を出力する出力端子とを、Ｋｃｈの第１コイルと第２コイルを介在させて接続するように形成した回路であり、Ｎｃｈの前記電圧生成回路は、前記電源端子とＮｃｈの前記出力電圧を出力する出力端子とを、Ｎｃｈの第２コイルを介在させて接続するように形成した回路である構成としてもよい。
【００２１】
また上記構成としてより具体的には、前記負荷は、ＬＥＤである構成としてもよい。また、ＬＥＤを複数個有し、該ＬＥＤを光源とするバックライトと、前記負荷としての該ＬＥＤに、前記出力電圧を出力する上記構成の電力供給回路と、を備えたバックライトシステム、或いは、当該バックライトシステムを備えた映像表示装置とすれば、上記構成の電力供給回路が有する利点を享受することが可能である。
【発明の効果】
【００２２】
上述した通り、本発明に係る電力供給回路によれば、各トランスの特性（１次側と２次側の電圧比）を調整しておくだけで、２ｃｈ以降の出力電圧を所望の状態とすることが可能となる。そのため、各チャンネルでの所望の出力電圧の生成に必要な処理を、極力抑えることが可能となる。
【図面の簡単な説明】
【００２３】
【図１】本発明の実施形態に係るバックライト駆動回路における、外部回路との接続状態を表す説明図である。
【図２】本発明の実施形態に係るバックライト駆動回路の構成図である。
【図３】本発明の実施形態に係る、別形態のバックライト駆動回路の構成図である。
【図４】本発明の実施形態に係るバックライト駆動回路の構成図（特に、出力電圧の生成機能に着目したもの）である。
【図５】従来のバックライト駆動回路の一例における、外部回路との接続状態を表す説明図である。
【図６】従来のバックライト駆動回路の一例に係る構成図である。
【発明を実施するための形態】
【００２４】
本発明の実施形態について、テレビ受像機（映像表示装置の一形態）のバックライトを駆動するバックライト駆動回路（電力供給回路の一形態）を挙げて、以下に説明する。
【００２５】
図１は、当該バックライト駆動回路２における、外部回路との接続状態を表している。本図に示すように、バックライト駆動回路２は、バックライト３に電力を供給して駆動させるものであり、外部回路との接続に使われる端子として、電源端子２ａおよび出力端子２ｂを備えている。出力端子２ｂは、正極と負極の各端子からなり、１ｃｈから４ｃｈまでの４チャンネル分が設けられている。
【００２６】
なおこのチャンネル数は一例であり、２または３チャンネル分が設けられていても良く、５チャンネル分以上が設けられていても良い。またバックライト駆動回路２は、バックライト３とともに、同じテレビ受像機の内部に設置されている。
【００２７】
そして電源端子２ａには、電源電圧を供給する電源１が接続される。また各チャンネルの出力端子２ｂには、バックライト３に設けられたＬＥＤ３ａが接続される。より具体的には、出力端子２ｂの正極には、複数個のＬＥＤ３ａが直列に接続されて形成されたＬＥＤ回路３ｂの一端が、出力端子２ｂの負極には、ＬＥＤ回路３ｂの他端が、それぞれ接続される。
【００２８】
バックライト３は、複数系列のＬＥＤ回路３ｂを有しており、テレビ受像機に設けられたディスプレイ（不図示）の裏側に設置されている。これによりバックライト３は、ＬＥＤ３ａの各々を光源としたバックライトとして機能する。
【００２９】
バックライト駆動回路２は、このような態様で用いられるものであり、電源１から供給された電力を調整し、ＬＥＤ３ａの各々に電力を供給する。これによりバックライト駆動回路２は、各ＬＥＤ３ａを発光させ、バックライト３を駆動させることが可能となっている。バックライト３が光ることにより、テレビ受像機の画面表示が実現される。
【００３０】
次に、バックライト駆動回路２の構成について説明する。図２は、バックライト駆動回路２の構成図である。バックライト駆動回路２の構成としてまず１ｃｈに着目すれば、電源端子２ａが、昇圧または降圧用のコイル２１、トランスＴＲ１の一次側を形成する第１コイル１２、および整流用のダイオード１３を順に介して、１ｃｈの出力端子２ｂの正極に接続されている構成となっている。
【００３１】
またコイル１１と第１コイル１２の間は、ＦＥＴ１５（昇圧または降圧用のスイッチング素子）を介して接地されている。またダイオード１３と１ｃｈの出力端子２ｂの間は、出力コンデンサ１４を介して接地されている。またダイオード１３と出力コンデンサ１４の間は、抵抗Ｒ１と抵抗Ｒ２を介して接地されている。また１ｃｈの出力端子２ｂの負極は、ＦＥＴ１６（１ｃｈにおけるＤＩＭ用のスイッチング素子）と電流検知用の抵抗Ｒ３を介して接地されている。なお、例えばコイル１１の前段側には、端子２ａから入力される電力を平滑化する入力コンデンサ（一端は接地されている）が接続されていても構わない。
【００３２】
また２ｃｈに着目すれば、先述したコイル１１と１ｃｈの第１コイル１２の間が、トランスＴＲ１の２次側を形成する第２コイル２１、トランスＴＲ２の１次側を形成する第１コイル２２、整流用のダイオード２３を順に介して、２ｃｈの出力端子２ｂの正極に接続されている。またダイオード２３と２ｃｈの出力端子２ｂの間は、出力コンデンサ２４を介して接地されている。また２ｃｈの出力端子２ｂの負極は、ＦＥＴ２６（２ｃｈにおけるＤＩＭ用のスイッチング素子）と電流検知用の抵抗Ｒ４を介して接地されている。
【００３３】
また３ｃｈに着目すれば、先述したコイル１１と１ｃｈの第１コイル１２の間が、トランスＴＲ２の２次側を形成する第２コイル３１、トランスＴＲ３の１次側を形成する第１コイル３２、整流用のダイオード３３を順に介して、３ｃｈの出力端子２ｂの正極に接続されている。またダイオード３３と３ｃｈの出力端子２ｂの間は、出力コンデンサ３４を介して接地されている。また３ｃｈの出力端子２ｂの負極は、ＦＥＴ３６（３ｃｈにおけるＤＩＭ用のスイッチング素子）と電流検知用の抵抗Ｒ５を介して接地されている。
【００３４】
また４ｃｈに着目すれば、先述したコイル１１と１ｃｈの第１コイル１２の間が、トランスＴＲ３の２次側を形成する第２コイル４１、および整流用のダイオード４３を順に介して、４ｃｈの出力端子２ｂの正極に接続されている。またダイオード４３と４ｃｈの出力端子２ｂの間は、出力コンデンサ４４を介して接地されている。また４ｃｈの出力端子２ｂの負極は、ＦＥＴ４６（４ｃｈにおけるＤＩＭ用のスイッチング素子）と電流検知用の抵抗Ｒ６を介して接地されている。
【００３５】
そしてバックライト駆動回路２においては、例えばＩＣチップで形成されたコントローラ１０が１個だけ設けられている。コントローラ１０は、抵抗Ｒ１と抵抗Ｒ２の間の電圧を信号Ｓｖ（１ｃｈにおける出力電圧の状態が反映されている）として受取り、ＦＥＴ１５のゲートに信号Ｓａ（ＦＥＴ１５のＯＮ／ＯＦＦを制御する信号）を送ることが可能となっている。
【００３６】
またコントローラ１０は、ＦＥＴ１６と抵抗Ｒ３の間の電圧を信号Ｓｉ１（１ｃｈにおける出力電流の状態が反映されている）として受取り、ＦＥＴ１６のゲートに信号Ｓｂ１（ＦＥＴ１６のＯＮ／ＯＦＦを制御する信号）を送ることが可能となっている。またコントローラ１０は、ＦＥＴ２６と抵抗Ｒ４の間の電圧を信号Ｓｉ２（２ｃｈにおける出力電流の状態が反映されている）として受取り、ＦＥＴ２６のゲートに信号Ｓｂ２（ＦＥＴ２６のＯＮ／ＯＦＦを制御する信号）を送ることが可能となっている。
【００３７】
またコントローラ１０は、ＦＥＴ３６と抵抗Ｒ５の間の電圧を信号Ｓｉ３（３ｃｈにおける出力電流の状態が反映されている）として受取り、ＦＥＴ３６のゲートに信号Ｓｂ３（ＦＥＴ３６のＯＮ／ＯＦＦを制御する信号）を送ることが可能となっている。またコントローラ１０は、ＦＥＴ４６と抵抗Ｒ６の間の電圧を信号Ｓｉ４（４ｃｈにおける出力電流の状態が反映されている）として受取り、ＦＥＴ４６のゲートに信号Ｓｂ４（ＦＥＴ４６のＯＮ／ＯＦＦを制御する信号）を送ることが可能となっている。
【００３８】
なおバックライト駆動装置２の各チャンネルが出力すべき電圧（所望の電圧）は、概ね、（接続されるＬＥＤ３ａの個数）×（ＬＥＤ３ａの順方向電圧）＋（ＦＥＴ（１６、２６、３６、４６の何れか）のドレイン−ソース間の電圧）＋（抵抗（Ｒ３〜Ｒ６の何れか）に所定電流を流したときに生じる電圧）に設定される。ここで、各ＬＥＤ回路３ｂに設けられるＬＥＤ３ａの個数等は、テレビ受像機の仕様上の都合等により、同一であるとは限らない。そのため、１ｃｈから４ｃｈの各チャンネルが出力すべき電圧も、互いに異なることがある。以下、１ｃｈから４ｃｈの各チャンネルが出力すべき電圧を、それぞれ、Ｖｓｔ１、Ｖｓｔ２、Ｖｓｔ３、およびＶｓｔ４とする。
【００３９】
次に、バックライト駆動回路２の動作について説明する。まず１ｃｈに着目すれば、電源端子２ａからの供給電力を用いたスイッチングレギュレータに相当する動作を行うことにより、１ｃｈの出力電圧を生成し、１ｃｈの出力端子２ｂから外部（ＬＥＤ１０３）に出力する。例えばＦＥＴ１５のスイッチング動作において、ＦＥＴ１５がＯＮのときは、コイル１１に電流が流れるとともにエネルギーが蓄積され、ＦＥＴ１５がＯＦＦのときは、コイル１１に蓄積がされたエネルギーが開放される。これにより、生成される出力電圧は、コントローラ１０が送出する信号Ｓａに応じたものとなる。なおスイッチングレギュレータの動作原理などについては、公知であるため、ここでは詳細な説明を省略する。
【００４０】
また、１ｃｈから出力すべき電圧Ｖｓｔ１の情報は、コントローラ１０に予め設定されているか、或いは、外部からコントローラ１０に入力されるようになっている。そしてコントローラ１０は、信号Ｓｖを継続的に検出することによって１ｃｈの出力電圧を監視し、１ｃｈの出力電圧がＶｓｔ１となるように、信号Ｓａを送出する。これにより、１ｃｈの出力電圧はＶｓｔ１に維持される。なお、このように１ｃｈの出力電圧を生成する過程で、１ｃｈの第１コイル１２には、所定の電圧（電圧Ｖｓｔ１、もしくはこの電圧に応じた電圧）が発生することになる。
【００４１】
また２ｃｈに着目すれば、電源端子２ａ側から電力が供給され、この電力を用いて２ｃｈの出力電圧を生成し、２ｃｈの出力端子２ｂから外部（ＬＥＤ１０３）に出力する。ここでトランスの電磁誘導により、２ｃｈの第２コイル２１に発生する電圧は、１ｃｈの第１コイル１２に発生する電圧と、トランスＴＲ１の特性（特に、１次側と２次側の巻線数）によって定まることになる。そして２ｃｈの第２コイル２１に発生した電圧、もしくはこの電圧に応じた値の電圧が、２ｃｈの出力電圧となる。
【００４２】
１ｃｈの第１コイル１２に発生する電圧は先述したように特定されるため、２ｃｈの出力電圧は、トランスＴＲ１の特性の調整を通じて、調節可能である。そこでトランスＴＲ１の特性は、１ｃｈの出力電圧がＶｓｔ１であるとした場合に、２ｃｈの出力電圧がＶｓｔ２（２ｃｈから出力すべき電圧）となるように調整されている。これにより、２ｃｈの出力電圧は、電圧Ｖｓｔ２に維持される。なお、このように２ｃｈの出力電圧を生成する過程で、２ｃｈの第１コイル２２には、所定の電圧（電圧Ｖｓｔ２、もしくはこの電圧に応じた電圧）が発生することになる。
【００４３】
また３ｃｈに着目すれば、電源端子２ａ側から電力が供給され、この電力を用いて３ｃｈの出力電圧を生成し、３ｃｈの出力端子２ｂから外部（ＬＥＤ１０３）に出力する。３ｃｈの第２コイル３１に発生する電圧は、２ｃｈの第１コイル２２に発生する電圧と、トランスＴＲ２の特性（特に、１次側と２次側の巻線数）によって定まることになる。そして３ｃｈの第２コイル３１に発生した電圧、もしくはこの電圧に応じた値の電圧が、３ｃｈの出力電圧となる。
【００４４】
２ｃｈの第１コイル２２に発生する電圧は先述したように特定されるため、３ｃｈの出力電圧は、トランスＴＲ２の特性の調整を通じて、調節可能である。そこでトランスＴＲ２の特性は、２ｃｈの出力電圧がＶｓｔ２であるとした場合に、３ｃｈの出力電圧がＶｓｔ３（３ｃｈから出力すべき電圧）となるように調整されている。これにより、３ｃｈの出力電圧は、電圧Ｖｓｔ３に維持される。なお、このように３ｃｈの出力電圧を生成する過程で、３ｃｈの第１コイル３２には、所定の電圧（電圧Ｖｓｔ３、もしくはこの電圧に応じた電圧）が発生することになる。
【００４５】
また４ｃｈに着目すれば、電源端子２ａ側から電力が供給され、この電力を用いて４ｃｈの出力電圧を生成し、４ｃｈの出力端子２ｂから外部（ＬＥＤ１０３）に出力する。４ｃｈの第２コイル４１に発生する電圧は、３ｃｈの第１コイル３２に発生する電圧と、トランスＴＲ３の特性（特に、１次側と２次側の巻線数）によって定まることになる。そして４ｃｈの第２コイル４１に発生した電圧、もしくはこの電圧に応じた値の電圧が、４ｃｈの出力電圧となる。
【００４６】
３ｃｈの第１コイル３２に発生する電圧は先述したように特定されるため、４ｃｈの出力電圧は、トランスＴＲ３の特性の調整を通じて、調節可能である。そこでトランスＴＲ３の特性は、３ｃｈの出力電圧がＶｓｔ３であるとした場合に、４ｃｈの出力電圧がＶｓｔ４（４ｃｈから出力すべき電圧）となるように、調整されている。これにより、４ｃｈの出力電圧は、電圧Ｖｓｔ４に維持される。
【００４７】
またコントローラ１０は、信号Ｓｉ１からＳｉ４の各々を継続的に検出することにより、各チャンネルにおける出力端子２ｂの負極を流れる電流を、監視する。そしてこの監視結果に応じて、コントローラ１０は、信号Ｓｂ１からＳｂ４の各々を調整し、各チャンネルに係る電流を調節することが可能となっている。これによりコントローラ１０は、外部から得られた輝度調節信号（例えば、ユーザの操作に応じた信号）に応じて、チャンネルごとの電流を調節し、ＬＥＤ１０３の輝度を制御することが可能となっている。
【００４８】
以上の通り、バックライト駆動回路２の構成および動作について説明したが、当該構成や動作については、種々の変形を加えることが可能である。一例としては、コイル１１と、トランスＴＲ１の１次側のコイル１２を別個に設けることとせず、双方の機能を一つのコイルが担うようにしても良い。例えば、バックライト駆動回路２の構成を、図３に示す構成（コイル１１の設置が省略されている）としても良い。この場合、図３に示すコイル１２の特性は、当該コイルが図２に示すコイル１１とコイル１２との両方の役割を果すように、設定される。
【００４９】
また本実施形態ではチャンネル数が４であるが、チャンネル数が２または３の場合は、２個または１個分のチャンネルの回路（図２における破線で囲まれた部分に相当）を省略すれば良い。またチャンネル数が５以上の場合は、増加した分のチャンネルの回路を追加すれば良い。つまり本実施形態の回路構成におけるチャンネル数は、２以上の任意とすることが可能である。
【００５０】
ここでチャンネル数をＮ（Ｎは２以上）とした場合における、バックライト駆動回路２の概略的な構成図（特に、出力電圧の生成機能に着目したもの）を、図４に示す。
【００５１】
図４に示すように、１ｃｈの電圧生成回路（電源端子２ａの後段側から、出力端子２ｂまで）は、電圧調整回路（スイッチングレギュレータと同等の回路）を用いて所定電圧（電圧Ｖｓｔ１）を生成し、１ｃｈの出力電圧として出力する。なお１ｃｈの出力電圧はコントローラ１０によって監視され、コントローラ１０は、この出力電圧が当該所定電圧となるように、電圧調整回路に指示を与える。また１ｃｈの電圧生成回路に含まれている第１コイル１２の電圧状態は、２ｃｈの電圧生成回路に含まれている第２コイル２１の電圧状態を決めることになる。
【００５２】
またＫｃｈ（Ｎが３以上の場合で、Ｋは、２からＮ−１までの各整数）の電圧生成回路は、Ｋ−１ｃｈの第１コイルとトランスを形成している第２コイルを有しており、この第２コイルに発生した電圧を用いて所定電圧を生成し、Ｋｃｈの出力電圧として出力する。またＫｃｈの電圧生成回路に含まれている第１コイルの電圧状態は、この第１コイルとトランスを形成しているコイル、すなわち、Ｋ＋１ｃｈの電圧生成回路に含まれている第２コイルの電圧状態を決めることになる。
【００５３】
またＮｃｈの電圧生成回路は、Ｎ−１ｃｈの第１コイルとトランスを形成している第２コイルを有しており、この第２コイルに発生した電圧を用いて所定電圧を生成し、Ｎｃｈの出力電圧として出力する。また１ｃｈの第１コイルにおける電圧状態は、１ｃｈの出力電圧に応じたものとなっており、ＫｃｈおよびＮｃｈの第１コイルにおける電圧状態は、ＫｃｈおよびＮｃｈ（つまり自身のチャンネル）の第２コイルにおける電圧状態に応じたものとなっている。
【００５４】
このように２ｃｈ以降の各チャンネルにおいては、他のチャンネルの第１コイルとトランスを構成する第２コイル（これらは、バランスコイルと見ることもできる）がいわゆるトーナメント形状に配置されている。これにより２ｃｈ以降の各チャンネルにおいては、トランスの作用によって発生した電圧（トランスの２次側に誘起された電圧）を用いて、所定の（所望の）出力電圧が生成されるようになっている。
【００５５】
そのため本実施形態のバックライト駆動回路２によれば、従来のもの（バックライト駆動回路１０２）に比べて、各チャンネルでの所望の出力電圧の生成に必要な処理を、極力抑えることが可能となっている。すなわち２ｃｈ以降の各チャンネルについては、コントローラ１０は、出力電圧を監視したり、出力電圧が当該所定電圧となるように指示を与えたりする必要が無い。
【００５６】
これによりコントローラ１０は、出力電圧の調整に関しては、一つのチャンネル（ここでは１ｃｈ）の出力電圧を監視する処理や、そのチャンネルの出力電圧が所望の電圧となるように指示を出す処理を行うだけで良い。その結果、本実施形態のように１個のコントロール装置を設置するだけとしても、当該コントロール装置に要求される処理能力を、極力抑えることが可能となっている。例えばコントローラ１０を実現する装置として、一般的な（比較的安価な）スイッチングレギュレータ用のコントロール装置（例えばＩＣ）を採用することが可能である。
【００５７】
以上、本発明の実施形態について説明したが、本発明はこの内容に限定されるものではない。また本発明は、その趣旨を逸脱しない限り、種々の形態によって実施可能である。
【産業上の利用可能性】
【００５８】
本発明は、ＬＥＤを用いたバックライトに電力を供給する、電力供給装置などに利用することができる。
【符号の説明】
【００５９】
１    電源
２    バックライト駆動回路（電力供給回路）
２ａ  電源端子
２ｂ  出力端子
３    バックライト
３ａ  ＬＥＤ（負荷）
３ｂ  ＬＥＤ回路
１０    コントローラ
１１    コイル
１２、２２、３２                第１コイル
１３、２３、３３、４３          ダイオード
１４、２４、３４、４４          コンデンサ
１５、１６、２６、３６、４６    ＦＥＴ
２１、３１、４１                第２コイル
Ｒ１〜Ｒ６        抵抗
ＴＲ１〜ＴＲ３    トランス
【図１】
2011114924.tif 000003
【図２】
2011114924.tif 000004
【図３】
2011114924.tif 000005
【図４】
2011114924.tif 000006
【図５】
2011114924.tif 000007
【図６】
2011114924.tif 000008